(57)【要約】本発明は、第一及び第二の湿った発泡体形材を得て、次いで第一の発泡体形材及び第二の発泡体形材を部分的に又は完全に乾燥させ、次いで乾燥又は部分的に乾燥した第一及び第二の発泡体形材を重ね合わせ、第一及び第二の発泡体形材を互いに付着させることによって発泡体成分を製造する方法に関する。本発明はまた、このような方法によって得られる発泡体成分に関する。【特許請求の範囲】
【請求項１】
空気中では安定していて、水と接触すると不安定である発泡体成分を製造する方法であって、
ａ）それぞれがポリマー物質、活性物質、及び液体を含んでなる、第一の湿った発泡体形材及び第二の湿った発泡体形材を得る工程と、
ｂ）前記第一及び／又は第二の発泡体形材の一部又は全ての液体を蒸発させて、乾燥又は部分的に乾燥した発泡体形材を得る工程と、
ｃ）工程ｂ）の前記第一の発泡体形材及び第二の発泡体形材を互いに接するように配置し、該形材を互いに付着させる工程と
によって製造する方法。
【請求項２】
前記発泡体形材が、ポリマー物質、活性物質、及び好ましくは液体の液体混合物を製造し、この混合物を発泡させる工程を含む方法によって得られる、請求項１に記載の方法。
【請求項３】
前記発泡体形材が、
ａ）ポリマー物質、活性物質、及び液体の液体混合物を得る工程と、
ｂ）前記混合物中に気体又は（２５℃及び大気圧で気体を形成する）気体形成剤を導入する工程と、
ｃ）工程ｂ）の混合物を成形し発泡体形材を形成する工程と
を含む方法によって得られる、請求項１または２に記載の方法。
【請求項４】
工程ｃ）に先立って、前記混合物に少なくとも２ｂａｒの圧力を加え、前記成形工程において圧力を開放し、それによって少なくとも部分的に液体を蒸発させて、前記乾燥又は部分的に乾燥した発泡体形材を得る、請求項３に記載の方法。
【請求項５】
前記蒸発工程が、湿った若しくは部分的に乾燥した発泡体形材を、好ましくは７０℃までの温度に加熱する工程、及び／又は湿った若しくは部分的に乾燥した発泡体形材を真空凍結乾燥する工程を含む、請求項１〜４のいずれか１項に記載の方法。
【請求項６】
前記発泡体形材が、ポリビニルアルコールポリマー及び／又はその誘導体を含んでなるポリマー物質のマトリクスを含んでなる、請求項２〜５のいずれか１項に記載の方法。
【請求項７】
前記発泡体形材が、揮発性及び／又は熱感応性活性物質を含んでなる、請求項１〜６のいずれか１項に記載の方法。
【請求項８】
−前記第一及び／若しくは第二の発泡体形材が部分的に乾燥しており、さらなる乾燥によって互いに付着させる、並びに／又は
−前記第一及び第二の発泡体形材が乾燥しており、前記第一の発泡体形材及び／若しくは第二の発泡体形材の部分的な再湿潤化によって互いに付着させる、請求項１〜７のいずれか１項に記載の方法。
【請求項９】
前記発泡体成分を、接着剤、好ましくはポリマー物質の溶液で互いに付着させる、請求項１〜８のいずれか１項に記載の方法。
【請求項１０】
前記発泡体形材がシートの形態であり、該シートが互いに積み重ねられ、層状の発泡体成分を形成する、請求項１〜９のいずれか１項に記載の方法。
【請求項１１】
請求項１〜１０のいずれか１項に記載の方法によって得られる発泡体成分。
【請求項１２】
前記発泡体形材から形成された二つ以上の層を有する物品の形態であり、好ましくはシート、立方体、球を含む幾何学的な物体である、請求項１１に記載の発泡体成分。
【請求項１３】
前記活性物質が、洗浄性製品の成分、布地保護成分、薬品成分、化粧品成分、パーソナルケア成分、好ましくは少なくとも界面活性剤、コンディショナー、又はこれらの混合物を含む、請求項１１または１２に記載の発泡体成分。
【請求項１４】
１０ＧＮ．ｍ−２未満、好ましくは１ＧＮ．ｍ−２未満の弾性率を有する、請求項１１〜１３のいずれか１項に記載の柔軟性発泡体成分。
【請求項１５】
０．０５〜０．９の相対密度を有する、請求項１１〜１４のいずれか１項に記載の発泡体成分。
【請求項１６】
可塑剤、好ましくはグリセロール、エチレングリコール、ジエチレングリコール、プロピレングリコール、ソルビトールから選択される可塑剤を含んでなる、請求項１２〜１５のいずれか１項に記載の発泡体成分。
【発明の詳細な説明】
【０００１】
（産業上の利用分野）
本発明は水反応性発泡体成分を製造する方法に関し、この方法では第一及び第二の湿った発泡体形材を形成し、これらの発泡体形材を乾燥又は部分的に乾燥し、この発泡体形材を互いに付着させることによって発泡体成分を得る。本発明はまた、このような方法によって得られる成分に関する。
【０００２】
（発明の背景）
近年、種々の洗浄性組成物だけでなく、一回用量形態のパーソナル洗浄性組成物及びパーソナルケア組成物を製造する傾向にある。例えば、洗浄性錠剤は広く使用されている。活性成分を保持する発泡体も使用できると言われている。
【０００３】
発明者は、発泡体、通常、水反応性ポリマー及び活性物質（水中で活性）から形成された水溶性の発泡体を製造する改善された方法を見出した。発泡体成分を製造する好ましい方法は、ポリマー物質及び活性物質から溶液又は分散液を製造し、通常気体を導入することによってその湿った発泡体を形成し、続いてそれを乾燥することであることが見出された。しかし、発明者は、例えば、発泡体は均一に乾燥されないので、これらの発泡体成分の乾燥には非常に長い時間がかかり、満足に行えないことが多く、乾燥条件は活性物質に負の影響を与えたり、又は発泡体成分を完全に乾燥するのは不可能であることを見出した。
【０００４】
今般発明者は、別個の発泡体形材をまず形成し、これらの発泡体形材を乾燥又は部分的に乾燥し、次いでこれらの発泡体形材から発泡体成分を形成することによって、通常はまず最初に別個の発泡体シートを製造し、次いでシートを重ね合わせて付着させ、それによって層状の発泡体成分又は発泡体を得ることによって、溶液又は懸濁液から水反応性の発泡体成分を製造する改善された方法を見出した。
【０００５】
全体の乾燥時間は本発明の方法を用いることによって大幅に短縮される。また、乾燥条件は活性物質に適合し、それが揮発性又は熱感応性活性物質を含む場合には特に適合する。
【０００６】
本方法を使用して、一連の形状の発泡体成分及びある種の発泡体成分を製造でき、例えば、それは洗浄性製品、薬品、パーソナルケア製品、化粧品、及び布地保護製品を含んでなる。
【０００７】
得られた発泡体成分は、非常に優れた品質を有し、特に非常に安定していて柔軟性又は弾性があり、活性物質を有効に水中に供給する。耐衝撃性にも非常に優れていることがわかっている。さらなる利益としては、異なる活性物質を異なる発泡体形材に導入でき、それによって一方の発泡体成分においては他方と直接接触しないか、又は限られた範囲でのみ接触することである。
【０００８】
（発明の概要）
本発明は以下の工程によって発泡体成分を製造する方法に関する：
ａ）それぞれがポリマー物質、活性物質、及び液体を含んでなる、第一の湿った発泡体形材及び第二の湿った発泡体形材を得る工程と
ｂ）前記第一及び／又は第二の発泡体形材の一部又は全ての液体を蒸発させて、乾燥又は部分的に乾燥した発泡体形材を得る工程と、
ｃ）工程ｂ）の前記第一の発泡体形材及び第二の発泡体形材を互いに接するように配置し、該形材を互いに付着させる工程。
【０００９】
発泡体成分は、好ましくは水溶性及び／又は水分散性である。発泡体成分は、通常、空気中で安定している。乾燥した発泡体形材は、通常、ポリマーマトリクス及び水中で活性である活性物質を含んでなる。
【００１０】
液体又はその一部は任意の方法、例えば、加熱又は凍結乾燥によって蒸発できる。湿った発泡体形材を加圧下で製造し、圧力を開放して、液体又はその一部を蒸発させ、続いて任意選択的に乾燥工程にかけるのが好ましい。
【００１１】
発泡体形材は、好ましくはポリマー物質及び活性物質並びに液体の液体（粘稠）混合物から製造され、次いで気体（又は２５℃、大気圧にて気体を形成する試薬）を導入し、次いで混合物を成形し、湿った発泡体形材を乾燥させる。また好ましくは、粘稠な混合物を加工し、加圧下で発泡し、混合物を成形する際には圧力を開放して液体の一部を蒸発させる。
【００１２】
本発明はまた、本発明の方法によって得られる発泡体成分に関し、これは互いに付着した少なくとも二つの発泡体形材、好ましくは層状構造の発泡体成分を得るための層状の発泡体形材又はシートを有する。
【００１３】
本明細書の方法によって得られる発泡体成分は、水に接触した際、好ましくは部分的又は完全に分解、分散、変性、及び／又は溶解すると同時に、この成分は水に接触した際、活性物質又はその一部を放出する。本発泡体成分は、好ましくは柔軟性発泡体成分である。
【００１４】
好ましくは、活性物質は、洗浄性活性物質、パーソナルケア若しくは化粧品活性物質、又は薬品活性物質である。温度感応性若しくは揮発性活性物質、又は水分感応性活性物質が好ましく、これらには酵素、漂白剤、香料が挙げられる。
【００１５】
発泡体成分は、好ましくは一回用量の製品（活性物質）を含んでなる物品の形態であり、それは発泡体形材から形成された二つ以上の層を有し、好ましくは一回用量の組成物を容易に取り扱うことができるような、シート、立方体、球、又はその他の形状を含む幾何学的な物体である。
【００１６】
（詳細な説明）
本発明の方法では、少なくとも二つの湿った発泡体形材（第一の発泡体形材、第二の発泡体形材、任意選択的にさらなる湿った発泡体形材）を得て、この湿った発泡体形材から液体を蒸発させて部分的又は完全に乾燥した発泡体形材を得て、一方の発泡体形材を他方の発泡体形材に接するように配置し、発泡体形材を互いに付着させる。
【００１７】
本明細書に用いられる湿った発泡体形材とは、通常、空気乾燥、加熱、真空乾燥、（真空）凍結乾燥などの既知の乾燥条件下で蒸発可能な液体（２５℃、大気圧にて液体）を含んでなる発泡体形材を意味する。
【００１８】
発泡体形材が液体のポリマー物質及び活性物質から形成される場合、この液体は、好ましくはポリマー及び／又は活性物質又はその一部を溶解可能な溶媒、通常少なくとも有機溶媒又は水、好ましくは少なくとも水である。通常、ポリマー物質は水溶性であり、液体は少なくとも水を含んでなる。液体は物質の混合物であり、例えば、水及び水の沸点を下げることのできる有機溶媒の混合物であるのが好ましい。使用する液体の量は、発泡体形材及び発泡体成分の乾燥に必要な時間を短縮するために、好ましくはできる限り少量である。ポリマー物質及び活性物質は、好ましくは溶媒中に均一に溶解又は懸濁され、そのため液体の量はそれに応じて選択される。
【００１９】
湿った発泡体形材において液体、好ましくは溶媒の量は、通常、混合物の１５重量％〜５０重量％、より好ましくは１５重量％〜４５重量％若しくは４０重量％、又は２０重量％〜４０重量％若しくは３５重量％である。
【００２０】
得られた発泡体成分中の液体の濃度は、好ましくは１５重量％まで、より好ましくは１２重量％まで、又は１０重量％まで、又は５重量％までである。少なくとも一部の液体、例えば、少なくとも１重量％又は少なくとも３重量％の液体が残存するのが好ましい場合がある。
【００２１】
湿った発泡体形材は、発泡性のポリマー物質及び液体から発泡体を製造する既知の任意の方法によって製造できる。通常、発泡体形材は、溶液又は懸濁液、好ましくはポリマー物質、活性物質、及び液体、好ましくは可塑剤の粘稠な懸濁液又は溶液から製造される。次いでこれは、通常、本明細書でより詳細に記載されるように気体の導入によって発泡される。
【００２２】
これによって得られた混合物は、次いで液体又はその一部が蒸発できるように、必須の湿った発泡体形材に成形される。
【００２３】
通常、発泡体形材の蒸発は、空気乾燥、加熱、真空乾燥、（真空）凍結乾燥、又はこれらの組み合わせなどの既知の方法によって行われる。さらに好ましいのは、発泡体を加圧下で製造し、圧力を開放して液体又はその一部を蒸発させるような方法である。
【００２４】
発泡体形材は、形材を付着させる前にある程度の乾燥だけが必要であるようなものが好ましい。例えば、発泡体形材は、以下でより詳細に記載されるように、限られた量の液体だけを使用する方法によって得られるのが好ましい。乾燥工程は、通常、最終の発泡体成分が乾燥工程の前と乾燥工程の後とで、ほぼ同一の体積を有するように行われる。さらに、乾燥工程は、溶媒（例えば、水）を真空下、低温で短時間に除去するような凍結乾燥によって行うのが好ましく、適度に高い温度、例えば、４０〜７０℃又は４０〜６０℃で短時間、例えば、最長２時間又は１時間までのスローオーブン乾燥も有用であり得る。
【００２５】
二つ以上の発泡体形材を互いに接するように配置し、付着させる。これは一方の発泡体形材の少なくとも一部の表面を他方の発泡体形材の少なくとも一部の表面に接触させることを意味する。一方の形材の最大表面の少なくとも５０％が、他方の発泡体形材の最大表面の少なくとも５０％と接触するのが好ましい。発泡体形材を配置する厳密な方法は、最終発泡体成分の形材必要条件に依存する。二つ以上の発泡体形材がシートの形態であり、これらを互いに接するように配置し（互いに重ね合わせ）、それによって任意選択的にさらなる成形が可能な層状の発泡体成分を形成するのが好ましい。
【００２６】
シートは表面：体積比が高く、素早く容易に乾燥するので、好ましい形状である。
【００２７】
発泡体形材を任意の方法によって互いに付着する。発泡体形材が部分的に湿っているなら、それは互いに形材を固定するのに充分であり、通常、続いて本発明の発泡体成分を得るためにさらに乾燥してもよい。互いに付着されるべき一部又は全ての（乾燥）発泡体形材の表面を、この表面に液体を塗布することによって再び湿らせるのが好ましい場合もある。好ましくは、これは湿った発泡体形材を形成するのに用いられるのと同一の液体、好ましくは本明細書で記載される溶媒である。例えば、発泡体形材の発泡体マトリクスにおけるポリマー物質用の溶媒である液体、例えば、水が使用できる。
【００２８】
発泡体形材はまた、接着剤を用いて付着させてもよい。これは、例えば、ポリマー溶液又は懸濁液であり得、例えば、発泡体形材は、発泡体形材を製造するのに使用するポリマー物質の溶液を用いて互いに接着できる。無論、異なるポリマーの溶液を使用してもよい。
【００２９】
形材に使用するポリマーよりさらに水溶性の物質を使用して形材を互いに接着させるのが好ましく、なぜならこれは発泡体成分を個々の形材に分解できるようにするためであり、例えば、発泡体形材をそれぞれが溶解する前にまず互いに分離させる。非水溶性接着剤による接着も、本明細書の特定の実行に有用である場合がある。
【００３０】
本明細書の接着方法を組み合わせて使用し、二つの形材を付着させてもよい。
【００３１】
また、一方の結合とは異なる接着方法を、他方の結合のために使用してもよい。
【００３２】
上記接着方法の全てにおいて、形材に圧力を加える（例えば、発泡体形材を互いに圧縮する）のが好ましい。
【００３３】
本明細書で記載するように、発泡体形材は発泡体の形成及び安定化を改善するために可塑剤及び／又は安定剤を含んでなるのが有効である。少なくとも可塑剤は混合物中に存在するのが好ましい。（湿った発泡体形材の）３重量％〜２５重量％、より好ましくは５重量％〜２０重量％、又は８重量％〜１８重量％の濃度の可塑剤及び／又は安定剤が好ましい。
【００３４】
湿った発泡体形材のポリマー物質の濃度は、好ましくは１０重量％〜６０重量％、より好ましくは１５重量％〜５０重量％、又は２０重量％若しくは２５重量％〜４５重量％である。最終の発泡体成分は、好ましくは少なくとも１０重量％、さらに好ましくは１０重量％、又はさらに２０重量％、又はさらに３０重量％〜７０重量％、又はさらに６０重量％、又はさらに５５重量％、又はさらに５０重量％までのポリマー物質を含んでなる。
【００３５】
湿った発泡体形材中の活性物質の濃度は、好ましくは混合物の１０重量％〜６０重量％、より好ましくは１５重量％〜５０重量％、又は２０重量％〜４５重量％である。最終の発泡体成分は、好ましくは少なくとも１０重量％、さらに好ましくは１０重量％〜７０重量％、又はさらに１５重量％〜６０重量％の活性成分を含んでなる。
【００３６】
発泡体形材を製造するための好ましい方法
本明細書の発泡体形材は、好ましくは以下の工程を含む方法によって得られる：
ａ）ポリマー物質、活性成分、及び好ましくは水を含む液体の混合物を形成する工程と、
ｂ）液体又はその一部を蒸発させて、発泡体形材のマトリクスの気泡内部の領域である空間を形成する工程。
【００３７】
好ましくは、発泡体形材は、以下の工程を含む方法によって得られる：
ａ）ポリマー物質、活性物質、及び液体の（粘稠な）液体混合物を得る工程と、
ｂ）前記混合物中に気体（又は２５℃、大気圧で気体を形成する試薬）を導入する工程と、
ｃ）工程ｂ）の混合物を成形し発泡体形材を形成する工程。
【００３８】
これらの方法において、成形工程を改善するために混合物を適度に、例えば、４０℃〜７０℃、好ましくは６０℃又は５５℃まで加熱し、液体又はその一部をより効果的に蒸発させる。通常、混合物の温度はポリマー物質の融点未満であり、好ましくは大気圧で液体の沸点未満の温度までであるのが好ましい。
【００３９】
工程ａ）〜ｃ）の一工程又は各々の工程は、加圧下で行われるのも好ましい。方法に使用される圧力は、好ましくは少なくとも５ｂａｒ、又は少なくとも１０ｂａｒ、又は少なくとも１５ｂａｒである。好ましくは、使用される圧力は３００ｂａｒ若しくは２５０ｂａｒまで、又は１００ｂａｒ若しくは５０ｂａｒまでである。
【００４０】
上記工程ａ）の混合物は激しく混合され、及び／又は特定の粘度を有するのが好ましい。
【００４１】
ポリマー物質、活性物質、及び液体の混合物は、１．７ｓ−１の剪断速度において少なくとも１５０Ｐａ．ｓの粘度を有するか、又は激しく混合し、それによって処理に必要な粘度を得るのが好ましく、すなわちその粘度は加圧され、成形されるのに充分粘稠であるが、好ましくは気体若しくは試薬を導入し、及び／又は成形するのに粘稠すぎないようにする。
【００４２】
混合物の粘度（２５℃）は、好ましくは１．７ｓ−１の剪断速度で測定した場合に少なくとも２００Ｐａ．ｓ、又は少なくとも２５０Ｐａ．ｓ、又は少なくとも３００Ｐａ．ｓ、又は少なくとも３５０Ｐａ．ｓである。
【００４３】
好ましくは、粘度は、１０．０ｓ−１の剪断速度で測定した場合（２５℃）には少なくとも１００Ｐａ．ｓ、又は少なくとも１５０Ｐａ．ｓ、又は少なくとも２００Ｐａ．ｓ、又は少なくとも２５０Ｐａ．ｓとなるようにする。より好ましくは、粘度はまた、１００．０ｓ−１の剪断速度で測定した場合（２５℃）には、少なくとも１２Ｐａ．ｓ、又は少なくとも１６Ｐａ．ｓ、又は少なくとも２０Ｐａ．ｓ、又は少なくとも２８Ｐａ．ｓとなる。
【００４４】
好ましくは、混合物は本明細書で指定する粘度を有し、特に激しい混合が必須粘度を得るのに役立つので、混合物はまた本明細書で指定するように激しく混合される。
【００４５】
粘度調整剤も有用であり、例えば、追加の増粘剤又は屈水性誘発物質を使用してもよい。
【００４６】
本明細書で使用する場合、激しい混合とは、力／重量が少なくとも２０Ｗ／グラム、好ましくは少なくとも３０Ｗ／グラム、さらには少なくとも５０Ｗ／グラム、又は少なくとも１００Ｗ／グラム、又は少なくとも２００Ｗ／グラム、又は少なくとも２５０Ｗ／グラム、好ましくは１０００Ｗ／グラム若しくは５００Ｗ／グラムまでで混合することを意味する。
【００４７】
この激しい混合工程に使用する好ましい混合機は、必須の圧力を加えることができる、既知の押出成形機が好ましい。
【００４８】
本明細書の好ましい方法は押出成形方法である。それによって、ポリマー物質、活性成分、気体、又は本明細書に記載される試薬、及び通常好ましくは水などの溶媒を含む液体を、押出成形機に（形成前混合物として、好ましくは別個の成分として）導入し、ここでこれらの成分を混合し、次いで押出成形された混合物が押出成形機を出る出口点で圧力を落とし、それによって成形され、液体又はその一部が蒸発する（出口点を離れるときに、例えば、シートなどの所望の形状に成形でき、又は後続の段階、例えば、乾燥などのさらなる処理工程の後にこの工程を行ってもよい）。本明細書の後でより詳細に記載されるように、空間を持った気泡が形成され、次いでそれは気体、好ましくは空気、及び任意選択的に活性成分を含有してもよい。これらの空間は、発泡体形材のマトリクスの気泡の内部領域を形成する。これらの空間を形成することは、本発明の方法によって得られる発泡体成分の柔軟性を優れたものにする部分的な要因でもある。
【００４９】
発泡体形材を製造する方法において、発泡は、通常気体若しくは大気圧、２５℃において気体を形成するか、又は気体である試薬を導入することによって行われる。発泡は、通常、例えば、本明細書に示されるような液体、ポリマー物質、及び活性物質の混合物に、前記気体又は試薬を導入することによって行われる。
【００５０】
これは、（激しい）混合によって導入される気体であってもよい。しかし、別の物理的な発泡及び／又は化学的な発泡によって発泡を助けるために、気体のさらなる供給源を導入するのが好ましい。これは任意の既知の方法によって行うことができ、好ましいのは
−気体注入（乾燥経路又は水性経路）、臨界気体拡散を含む気体の溶解及び緩和（乾燥経路又は水性経路）による物理的発泡と、
−原位置気体形成（発泡システムによる二酸化炭素の形成を含めた、一つ以上の成分の化学反応を介して）による化学的発泡と
である。
【００５１】
また、蒸気の吹き込み及び／又はＵＶ光照射による硬化を使用することもできる。
【００５２】
（本明細書において上記で定義された粘稠な混合物の粘度は、さらなる気体又は試薬の導入前に測定された粘稠な混合物の粘度であることを理解すべきである。）
混合物に注入される好ましい気体としては、窒素、二酸化炭素、又はこれらの混合物、例えば、空気が挙げられる。
【００５３】
本明細書の試薬は、例えば、加圧された気体、液体窒素などの超臨界流体、好ましくは二酸化炭素である。
【００５４】
上記で記載したように圧力を開放することによって、まず第一に液体の一部を蒸発させ、続いて残存する液体を上記で示したような方法により発泡体形材を加熱することによって蒸発させて、乾燥又は部分的に乾燥した発泡体形材を得るのが好ましい。
【００５５】
発泡体成分
本発明の方法によって得られる発泡体成分は、通常、ポリマー物質又はその一部、及び任意選択的な他の物質から形成されたマトリクスを有する。マトリクスは、好ましくは開放気泡及び／又は独立気泡の相互連絡した網状構造、特に開放気泡及び／又は独立気泡の縁及び面を形成する、固体壁体又は平板の網状構造を形成する。気泡内部の空間は、活性成分の一部及び／又は空気のような気体を含有することができる。
【００５６】
発泡体成分は、少なくとも３つ、又は少なくとも４つ、又は少なくとも５つの発泡体形材から形成されるのが好ましい。
【００５７】
発泡体成分は、水中で活性である任意の活性成分を含有することができる。成分中の発泡体形材は一律でなく、そのため異なる物理的又は化学的性質を有するのが好ましい。
【００５８】
一方の発泡体形材は他方の発泡体形材とは異なる活性成分を含んでなり、例えば、活性成分は互いに適合せず、そのために異なる発泡体形材中に導入されることによって互いに分離されているのが好ましい。それにより、発泡体形材は異なる性質を有することができ、異なる形材から活性物質を連続的に放出できるようにもなる。例えば、異なる形材は、異なる濃度、異なる種類のポリマー物質で製造でき、異なる液体又は異なる可塑剤を含んでなることができる。
【００５９】
本明細書で使用するとき、「空気中で安定」又は「空気と接触した際安定」は、空気に暴露された場合、発泡体成分の嵩体積が実質的に同一のままであることを意味する。このことは特に、本明細書の発泡体成分が、制御された周囲条件下（湿度＝ＲＨ６０％、温度＝２５℃）のインキュベータにて開放したビーカー（直径９ｃｍ、保護的バリアなしで）の中で２４時間保管した場合、その嵩体積の好ましくは７５％〜１２５％、又はさらに９０％〜１１０％、又はさらに９５％〜１００％を保持することを意味する。 好ましくは上記保管条件下で、発泡体成分は、嵩体積の７５％〜１２５％、又はさらに９０％〜１１０％、又はさらに９５％〜１００％を保持し、それによって湿度は８０％である。
【００６０】
嵩体積の変化は、従来のいかなる方法でも測定することができる。較正用画像分析ソフトウエアを備えたパソコンに接続したデジタルカメラを持つデジタル式画像記録システムが、特に有用である。発泡体成分の１ｃｍ３の検体を得て、直径９ｃｍを有する開放ビーカーに入れ、上記条件下で２４時間保管する。２４時間後、画像解析記録システムによって三つの寸法すべてのサイズを測定する。
【００６１】
各検体の測定を３回繰返し、平均の嵩体積の変化を％で計算する。
【００６２】
好ましくは、発泡体成分は、平均粒度２０００ミクロン以下の粒子に形成される場合、これらの発泡体成分粒子はまた、その嵩体積の７５％〜１２５％、又はさらに９０％〜１１０％、又はさらに９５％〜１００％を保持する。例えば、９ｃｍの直径を有する体積測定用ビーカーに２０グラムの発泡体成分粒子、又は５００超過の粒子を含んでなる重量を入れることによってこれを測定することができる。発泡体成分粒子が水平な表面で安定した位置に再配置されるまでビーカーの底を軽く叩く。体積を測定する。発泡体成分粒子の入った開放ビーカーを、次いで慎重に、所望の％ＲＨ及び温度を設定したインキュベータに２４時間入れる。２４時間後、嵩体積を測定し、嵩体積の変化を％で計算する。
【００６３】
本明細書の発泡体成分は、水に接触した場合不安定である。これは、発泡体成分に存在する活性成分又はその一部が水に配送されるように生じる。好ましくは、発泡体成分又はその一部が水中で変性、分解、好ましくは分散又は溶解する。発泡体成分のポリマー物質は素早く分散又は溶解し、（１重量％の濃度で水に導入される場合）好ましくは少なくとも１０重量％、より好ましくは少なくとも３０重量％、又は少なくとも５０重量％、又は少なくとも７０重量％、又は少なくとも９０重量％のポリマー物質が水と発泡体成分が接触した後３０分以内に溶解又は分散する。これは、発泡体成分が水に接触した後２０分以内、又はさらに１０分以内、又はさらに５分以内に起こることがさらに好ましい。ポリマーの溶解及び分散を測定した後、本明細書で記載する方法によって溶解又は分散を測定することができる。
【００６４】
好ましくは、水に不安定な発泡体成分は、発泡体成分の全体積が変化、好ましくは減少するようになり、例えば、１ｃｍ３の発泡体成分を１００ｍｌの脱ミネラル水に添加し、２５℃、２００ｒｐｍの速度で５分間攪拌する場合、最初の全体積に比べて少なくとも１０％減少する。例えば、発泡体成分全体が実質的に迅速に水に分解、分散、又は溶解することが好ましいので、好ましくは全体積は、少なくとも２０％、又は少なくとも４０％、又は少なくとも６０％、又はさらに少なくとも９０％、又はさらに約１００％変化、好ましくは減少する。
【００６５】
これは、当該技術分野において既知の任意の方法の使用によって、特に本明細書では次のような方法（二重水浸法）によって、測定することができる。
【００６６】
１ｃｍ３の発泡体成分を得て、１００ｍｌの微量体積測定用シリンダーに入れ、５０ｍｌ±０．１ｍｌの不活性有機溶媒で満たす。発泡体成分におけるポリマー物質を変性しない及び／又はそれと相互作用しないことが判った場合、例えば、これがＰＶＡの場合、例えば、アセトンが用いられる。対象とする発泡体の性質に従ってその他の中性の有機媒体を用いることができ、不活性溶媒は、発泡体成分がその溶媒によって実質的に溶解、分散、崩壊、又は変性しないようなものである。
【００６７】
溶媒が発泡体の検体全体に浸透するように、シリンダーを密閉して１分間静置する。体積変化を測定し、発泡体検体の最初の体積をＶｉとする。発泡体検体を次いで溶媒から取り出し、溶媒が蒸発するように空中で乾燥する。
【００６８】
次いで、２５℃に維持し、磁性攪拌器の助けで２００ｒｐｍで撹拌している１００ｍｌの脱ミネラル水を含有する２５０ｍｌのビーカーに、発泡体検体を５分間置く。発泡体成分検体の残りを６０ｍｍの網目の銅フィルターでろ過し、残留水が除かれるような温度及び時間でオーブンに入れる。アセトンの体積が再び５０ｍｌに調整された測定用シリンダーに、乾燥した残りの発泡体成分を再び入れる。
【００６９】
総体積の増加をモニターし、発泡体検体の最終体積をＶｆとする。発泡体検体の総体積の減少ΔＶは
【数１】
2004509198.tif 000002
である。
【００７０】
発泡体成分は、好ましくは０．０１〜０．９５、さらに好ましくは０．０５〜０．９、又はさらに０．１〜０．８、又はさらに０．３〜０．７の相対密度
【数２】
2004509198.tif 000003
を有する。相対密度は、以下に記載するような、発泡体成分を形成するのに用いたバルク物質すべての部分密度の合計に対する発泡体成分の密度の比である。
【数３】
2004509198.tif 000004
式中、ρは密度であり、ＸＩは、発泡体成分における物質ｉの体積分画である。
【００７１】
発泡体成分は柔軟性発泡体成分であることが好ましい。特に、このことは、柔軟性発泡体成分が、成分に適用されるために物理的な力がかかった後、発泡体成分が元々の嵩体積を実質的にとどめるように衝撃エネルギー又は力エネルギーを吸収して、可逆的に変形することを意味する。
【００７２】
特に、このことは、特別な長さ、例えば、１ｃｍの横断面を有する発泡体成分試料が、横断面の軸に沿って適用される静的力で圧縮される場合、静的力は少なくとも大気圧に等しいかその２倍まで変化するが、力を除いた後のこの長さの変化が少なくとも元々の長さの９０％〜１１０％であることを意味する。例えば、パーキンエルマー（Ｐｅｒｋｉｎ−Ｅｌｍｅｒ）ＤＭＡ７ｅ装置によって、これを測定することができる。
【００７３】
同様に、特別な長さ、例えば、１ｃｍの横断面を有する発泡体成分試料が、横断面の軸に沿って適用される静的力で引っ張られる場合、静止力は少なくとも大気圧に等しいかその２倍まで変化するが、力を除いた後のこの長さの変化が少なくとも元々の長さの９０％〜１１０％であるという程度に発泡体成分は好ましくは柔軟性がある。例えば、パーキンエルマー（Ｐｅｒｋｉｎ−Ｅｌｍｅｒ）ＤＭＡ７ｅ装置によってこれを測定することができる。
【００７４】
発泡体成分の柔軟性は、ヤング（Ｙｏｕｎｇ）率又は弾性率によって反映することもでき、当該技術分野において既知のひずみ又は応力の機械的試験から、例えば、製造元の実験手順に従ってパーキンエルマー（Ｐｅｒｋｉｎ−Ｅｌｍｅｒ）ＤＭＡ７ｅ装置を用いて計算することができる。例えば、この装置で調べるのに１ｃｍ３の発泡体成分を用いることができる。
【００７５】
特に、この装置を用いる場合、１ｃｍ３の発泡体成分の横断面の軸にそって適用される静的力は、横断面方向における成分の変形が７０％になるまで徐々に高められる。次いで、力を外し横断面方向における発泡体成分の最終変形を測定する。
【００７６】
好ましくは、この実験の後、横断面のこの長さは、元々の横断面の長さの好ましくは９０％〜１１０％、好ましくは９５％〜１０５％、又はさらに９８％〜１００％である。
【００７７】
本明細書の発泡体成分は、好ましくはパーキンエルマー（Ｐｅｒｋｉｎ−Ｅｌｍｅｒ）ＤＭＡ７ｅ装置で測定したとき、１０ＧＮ．ｍ−２未満、さらに一層優先的には１ＧＮ．ｍ−２未満の弾性率又はヤング率を有する。パーキンエルマー（Ｐｅｒｋｉｎ−Ｅｌｍｅｒ）ＤＭＡ７ｅ装置で測定したとき、好ましくは、ポリマー成分は２％超過、好ましくは１５％超過、又はさらに５０％超過の相対降伏ひずみを有する。（降伏ひずみは、この測定では発泡体成分の変形の限界であり、そこで成分は不可逆的に変形する）。
【００７８】
弾性率又はヤング率は相対密度に関係する、すなわち
【数４】
2004509198.tif 000005
式中、ρ＊及びρｓは上記のとおりであり、Ｅ＊は発泡体成分のヤング率であり、Ｅｓはポリマー物質のそれである。このことは、高いＥｓを有する固いポリマー物質でさえ、その密度を変えることによって、特に、発泡体製造工程でさらに気体を導入することによって、又は調整されたレベルで可塑剤のような添加剤を用いることによって、相対的に柔軟性発泡体にできることを意味している。
【００７９】
発泡体成分はまた、好ましくは発泡体（の性能）を改善するため、例えば、発泡体成分を強化するため、又は発泡体成分をより安定若しくはより柔軟性若しくはより水溶性若しくはより水分散性にするためのさらなる成分、又は発泡体のよりよい外観を提供する成分、例えば、発泡体成分を着色若しくは漂白するためのさらなる成分を含んでなる。
【００８０】
本明細書で記載されるような可塑剤、安定剤、溶解剤が好ましい。一部の好ましい安定剤、溶解助剤、及び可塑剤は、二つの機能を有することができ、例えば、本発明の発泡体成分を可塑化及び安定化する。
【００８１】
本明細書の発泡体成分は、好ましくは通常本明細書の発泡体成分の活性成分を安定化できる安定剤を含んでなり、これは活性成分が酸化又は水分感応性の活性成分（例えば、一つ以上の酵素、香料、及び／又は漂白剤）を含んでなる場合に特に好ましい。安定剤はまた、本明細書の発泡体成分のマトリクスを安定させ、活性成分を間接的に安定させてもよい。
【００８２】
安定化剤は、好ましくは、保存中の酸化分解及び／又は水分分解から、活性成分又はマトリクスを安定させる化合物である。
【００８３】
安定剤は発泡体又はマトリクス安定剤であってもよく、又はこれらを含んでなってもよい。安定剤は、活性成分の安定剤、特に酵素安定剤であってもよく、又はこの安定剤を含んでなってもよい。
【００８４】
好ましい発泡体安定剤は、一価、二価、三価、又は多価のイオンなどの一つ以上の陰イオン又は陽イオンを含んでなり；好ましいのは次の金属イオンであり；ナトリウム、カルシウム、マグネシウム、カリウム、アルミニウム、亜鉛、銅、ニッケル、コバルト、鉄、マンガン及び銀；好ましくはこれら陽イオンは対イオンである以下の一つ以上の陰イオンを有する：硫酸塩、炭酸塩、酸化物、塩化物、臭化物、ヨウ化物、燐酸塩、硝酸塩、及びこれらの組み合わせ。
【００８５】
発泡体安定剤は、超微粒子、好ましくは１０マイクロメータ未満、より好ましくは１マイクロメータ未満、さらにより好ましくは０．５マイクロメータ未満、又は０．１マイクロメータ未満の平均粒度を有する超微粒子を含んでなってもよい。好ましい超微粒子は、ゼオライト、シリカなどのアルミノシリケート類、又は超微粒子の形態の前述の電解質である。
【００８６】
発泡体安定剤は、寒天、アルギン酸ナトリウム、ドデシルナトリウムスルフェート、ポリエチレンオキシド、グアーガム、ポリアクリレート、これらの誘導体、又はこれらの組み合わせを含んでなってもよい。
【００８７】
発泡体安定剤は、陰イオン性又は非イオン性タンパク質又はリン脂質−タンパク質複合体を含んでなってもよい。
【００８８】
全体として発泡体成分、又は発泡体成分に導入される前の活性物質はまた、本明細書で定義したような発泡体形態ではなく、（ポリマー）物質の層でコーティングされてもよい。好ましいコーティング剤としては、ＰＶＰ（及びその誘導体）、及び／又はＰＥＧ（及びその誘導体）、及びＰＶＡ（及びその誘導体）、又はＰＥＧ及び／若しくはＰＶＰ（又はそれらの誘導体）とＰＶＡの混合物；グリセロール又はグリセリン、エチレングリコール、ジゴメリックポリエチレングリコール（例えば、ジエチレングリコール、トリエチレングリコール、テトラエチレングリコール、１０００未満の重量平均分子量を有するポリエチレングリコール）を含むグリコール誘導体、ワックス及びカルボワックス、エタノールアセトアミド、エタノールホルムアミド、トリエタノールアミン又はそのアセテート、エタノールアミン塩、ナトリウムチオシアネート類、アンモニウムチオシアネート類、ポリオール類（例えば、１，３−ブタンジオール、糖類、糖アルコール類、尿素類、ジブチル又はジメチルフタレート、オキサモノアシッド、オキサジアシッド、ジグリコール酸及び鎖中に分布する少なくとも一つのエーテル基を有するその他の直鎖カルボン酸類、水、又はこれらの混合物が挙げられる。
【００８９】
好ましい活性物質安定剤は、ホウ酸及びホウ酸塩、ギ酸及びギ酸塩、並びに酢酸及び酢酸塩、好ましくはそれらのカルシウム及び／又はマグネシウムの塩を含んでなる。
【００９０】
本明細書に用いるのに好適な活性物質安定剤、特に本明細書の発泡体成分が漂白剤を含んでなる場合に好適な活性物質安定剤は、酸化防止剤及び／又は還元剤、例えば、チオスルフェート、メチオニン、尿素、チオ尿素ジオキシド、グアニジン塩酸塩、グアニジン炭酸塩、グアニジンスルファマート、モノエタノールアミン、ジエタノールアミン、トリエタノールアミン、グルタミン酸ナトリウム、ウシ血清アルブミン、及びカゼイン、第三級−ブチルヒドロキシトルエン、４−４，−ブチリデンビス（６−第三級−ブチル−３−メチル−フェノール）、２，２’−ブチリデンビス（６−第三級−ブチル−４−メチルフェノール）、（モノスチレン化クレゾール、ジスチレン化クレゾール、モノスチレン化フェノール、ジスチレン化フェノール、１，１−ビス（４−ヒドロキシ−フェニル）シクロヘキサン、これらの誘導体、又はこれらの組み合わせを含んでなる。
【００９１】
本明細書に用いるのに好適な活性物質は糖類を含んでなってもよい。本明細書に用いる代表的な糖類としては、スクロース、グルコース、フルクトース、ラフィノース、トレハロース、ラクトース、マルトース、これらの誘導体、及びこれらの組み合わせから成る群から選択されるものが挙げられる。
【００９２】
活性物質安定剤は、少なくとも部分的に本明細書の発泡体成分又はその活性成分を内包する、好ましくは本明細書の発泡体成分又はその活性成分、特に酵素を完全に内包するコーティング又はバリアの形態であるのが好ましい。
【００９３】
本明細書の発泡体成分は、１重量％又は２重量％又は５重量％又は７重量％又は１０重量％又は１５重量％又は２０重量％以上の安定化剤を含んでなってもよく、７０重量％又は６０重量％又は５０重量％又は４０重量％又は３０重量％又は２５重量％までの安定化剤を含んでなってもよい。発泡体成分に存在する安定化剤の量は、活性成分の量及び種類、並びに本明細書のマトリクスの量及び種類に依存する。
【００９４】
本発明の発泡体成分はまた、溶解助剤を含んでなってもよい。
溶解助剤は、好ましくはＣ１〜Ｃ４アルキル（アルケニル）スルホネート類、Ｃ１〜Ｃ４アリールスルホネート類、ジイソブチルベンゼンスルホネート、トルエンスルホネート、クメンスルホネート、キシレンスルホネート、これらの塩（例えば、これらのナトリウム塩）、これらの誘導体、又はこれらの組み合わせなどのスルホネート化合物、好ましくはジイソブチルベンゼンスルホネート、ナトリウムトルエンスルホネート、ナトリウムクメンスルホネート、ナトリウムキシレンスルホネート、及びこれらの組み合わせを含んでなってもよい。
【００９５】
溶解助剤は、Ｃ１〜Ｃ４アルコール、例えば、メタノール、エタノール、イソプロパノールなどのプロパノール、これらの誘導体、及びこれらの組み合わせ、好ましくはエタノール及び／又はイソプロパノールを含んでなってもよい。
【００９６】
溶解助剤は、Ｃ４〜Ｃ１０ジオール、例えば、ヘキサンジオール及び／又はシクロヘキサンジオール、好ましくは１，６−ヘキサンジオール及び／又は１，４−シクロヘキサンジメタノールを含んでなってもよい。
【００９７】
溶解助剤は、セルロースベースの化合物、特に変性セルロースなどの灯心剤（ｗｈｉｃｋｉｎｇ ａｇｅｎｔｓ）として作用することができる化合物を含んでなってもよい。
【００９８】
溶解助剤は、例えば、粘土などの膨潤剤を含んでなってもよい。好ましい粘土は、スメクタイト粘土、特に２八面体型又は３八面体型スメクタイト粘土である。極めて好ましい粘土は、モンモリロナイト粘土、及びヘクトライト粘土、又はベントナイト粘土の形成時に見られるその他の粘土である。
【００９９】
溶解助剤は、好ましくは発泡系を含んでなる。好ましい発泡系は、水の存在下でアルカリ供給源と反応してガスを生成できる酸供給源を含んでなる。酸供給源はいずれの有機酸、鉱酸若しくは無機酸、これらの誘導体、又はこれらの混合物であってよい。好ましくは、酸供給源は有機酸を含んでなる。好適な酸供給源としては、クエン酸、リンゴ酸、マレイン酸、フマル酸、アスパラギン酸、グルタール酸、酒石酸、コハク酸、アジピン酸、リン酸一ナトリウム、ホウ酸、又はこれらの誘導体が挙げられる。クエン酸、マレイン酸、又はリンゴ酸がとりわけ好ましい。
【０１００】
存在する酸供給源とアルカリ供給源のモル比は、好ましくは５０：１〜１：５０、より好ましくは２０：１〜１：２０、より好ましくは１０：１〜１：１０、より好ましくは５：１〜１：３、より好ましくは３：１〜１：２、より好ましくは２：１〜１：２である。
【０１０１】
発泡体成分は、可塑剤を含んでなることが極めて好ましい。好ましい可塑剤は、グリセロール、エチレングリコール、ジエチレングリコール、プロピレングリコール、ソルビトール、及びこれらの混合物から選択される。
【０１０２】
酸化鉄及び水酸化鉄、アゾ染料、天然染料のような、発泡体成分を着色する着色剤も好ましく、好ましくは成分の０．００１重量％〜１０重量％、さらには０．０１〜５重量％、さらには０．０５重量％〜１重量％の濃度で存在する。
【０１０３】
発泡体成分は、酸性物質及び／又はアルカリ性物質及び／又は緩衝剤を含有するのが好ましい。これはポリマー物質及び／又は活性成分、又は追加の成分であってもよい。特に酸性物質の存在は、水に接触した際、本発明の発泡体成分の溶解及び／又は分散を改善し、水性媒体に存在する陽イオン種によって発泡体成分中のポリマー物質の沈殿を誘発する相互作用を減らす又は防ぐことができることがわかっている。
【０１０４】
微生物の混入又は成長を防ぐために、発泡体成分には防腐剤成分を含めるのが好ましい。例としては、ホルムアルデヒド及びホルムアルデヒドを放出する物質、及びその他の任意の防腐剤物質が挙げられる。
【０１０５】
液体
本明細書の液体は、好ましくはポリマー物質及び／又は活性物質用の溶媒である。好ましくは、液体又は溶媒は少なくとも水を含んでなる。
【０１０６】
アルカン類、アルケン類、アルコール類、ベンゼン、フェノールなどの芳香族溶媒などの有機溶媒も好ましい。
【０１０７】
ポリマー物質
空気安定性で、水不安定性の形態に形成できる任意のポリマー物質を発泡体形材及び発泡体成分に用いることができ、発泡体形材又は成分のマトリクス又はその一部を形成するのに用いることができる。ポリマー物質は水分散性、より好ましくは水溶性ポリマーを含んでなるのが好ましい。
【０１０８】
本明細書で好ましい水分散性のポリマーは、５０ミクロンの最大孔径を有するガラスフィルターを用いて下文に設定する方法によって測定したとき、少なくとも５０％、好ましくは少なくとも７５％、又はさらに少なくとも９５％の分散性を有し、さらに好ましくは本明細書のポリマーは、２０ミクロンの最大孔径を有するガラスフィルターを用いて下文に設定する方法によって測定したとき、少なくとも５０％、好ましくは少なくとも７５％、又はさらに少なくとも９５％の溶解度を有する水溶性ポリマーである、すなわち、
ポリマーの水溶解度又は水分散度を決定する重量測定法は以下のようである：ポリマー５０グラム±０．１グラムを、予め重量を測定した４００ｍｌビーカーに加え、蒸留水２４５ｍｌ±１ｍｌを加える。これを６００ｒｐｍに設定された磁性攪拌器で３０分間激しく攪拌する。その後、水−ポリマーの混合物を前記で定義した孔径（最大２０又は５０ミクロン）の固定定量焼結ガラスフィルターでろ過する。回収したろ液から、いずれかの簡便な方法によって水を乾燥し、残ったポリマーの重量を測定する（それが溶解又は分散画分である）。その後、％溶解度又は％分散度が計算できる。
【０１０９】
好ましいのは、ポリビニルアルコール類、ポリビニルピロリドン、ポリアルキレンオキシド類、セルロースエーテル類、ポリカルボン酸類及び塩、ポリアミノ酸類又はペプチド類、ポリアミド類、ポリアクリルアミド、これらの誘導体、又はこれらのコポリマーから選択されるポリマーである。さらに好ましくは、ポリマーは、ポリビニルアルコール類又はその誘導体、ヒドロキシプロピルメチルセルロースを含むセルロースエーテル類誘導体、マレイン酸／アクリル酸のコポリマー、又はこれらの混合物から選択される。ポリマー物質はポリビニルアルコール及び／又はその誘導体を含んでなるか、又はそれらから成るのが最も好ましい。
【０１１０】
上記のコポリマーブロックポリマー及びグラフトポリマーも用いることができる。
【０１１１】
ポリマーの混合物も用いることができる。これが、これらの適用及び要求されるニーズに依存して、発泡体成分の機械的及び／又は溶解特性の制御において特に有益であってもよい。
【０１１２】
ポリマーはいずれの平均分子量、好ましくは約１０００〜１，０００，０００、又はさらに４，０００〜２５０，０００、又はさらに１０，０００〜２００，０００、又はさらに２０，０００〜７５，０００を有するものであることができる。
【０１１３】
本明細書の発泡体形材／成分に用いられるポリマー物質は、水中で第二の機能を有するのが好ましく、例えば、発泡体成分が一回用量の洗浄性製品を含んでなる場合、ポリマーはビルダーポリマー、汚れ放出ポリマー、移染防止ポリマー、加工助剤、泡抑制剤、分散剤、凝集剤などであるのが有用である。
【０１１４】
活性成分
活性成分は、水性環境に供給されるべき任意の物質であることができ、水性環境において活性である（性能を発揮する）。例えば、洗浄性組成物に使用する場合、発泡体成分は任意の活性洗浄性成分を含有できる。極めて好ましい成分は、有害な物質、農薬、薬品又は薬物、洗浄性活性物質である。
【０１１５】
活性成分は、物質の混合物であってもよく、例えば、完成した製品配合物を発泡体成分中に導入してもよい。例えば、活性物質は、完成した洗浄性製品配合物、すなわち、好ましくは少なくともビルダー及び界面活性剤、好ましくはまた酵素及び香料、さらに好ましくはまたキレート化剤、漂白剤、光沢剤、泡抑制剤を含んでなるものであってよい。
【０１１６】
特に、発泡体成分中に、熱感応性（昇温下若しくは降温下で不安定で反応性あり）、揮発性、水分感応性（水分と接触する際に反応性あり）である活性成分、又はある程度の耐衝撃性（ｉｍｐａｃｔ ｒｏｂｕｓｔｎｅｓｓ）のみを有し、取り扱い中に塵を形成する傾向にある固体成分を導入するのが有益である。特に発泡体成分中で好ましいものは、酵素、香料、漂白剤、漂白剤活性化剤、布地柔軟剤、布地及び毛髪コンディショナー、染料、着色剤、液体非イオン性界面活性剤などの界面活性剤、コンディショナー、抗菌剤、発泡源、光沢剤、写真漂白剤、及びこれらの混合物などの活性成分である。
【０１１７】
好ましいのは陰イオン性サルフェート、スルホネート、カルボキシレート及びサルコシネート界面活性剤の石鹸の塩（例えば、ナトリウム、カリウム、アンモニウム、及びモノ−、ジ−、及びトリ−エタノールアミン塩などの置換アンモニウム塩を含む）を含む陰イオン性界面活性剤であり、好ましくは直鎖又は分枝鎖アルキルベンゼンスルホネート、アルキルサルフェート類及びアルキルエトキシルサルフェート類、イセチオネート類、Ｎ−アシルタウレート類、メチルタウリドの脂肪酸アミド類、アルキルサクシネート類及びスルホサクシネート類、スルホサクシネートのモノエステル類（特に飽和及び不飽和Ｃ１２〜Ｃ１８モノエステル）、スルホサクシネートのジエステル類（特に飽和及び不飽和Ｃ６〜Ｃ１４ジエステル）、Ｎ−アシルサルコシネート類である。
【０１１８】
好ましくはアルキルフェノール類の非イオン性縮合物、非イオン性エトキシル化アルコール類、非イオン性エトキシル化／プロポキシル化脂肪族アルコール類、プロピレングリコールと非イオン性エトキシレート／プロポキシレートとの縮合物、及びプロピレンオキシド／エチレンジアミン付加体と非イオン性エトキシレートとの縮合生成物の部類から選択され得る、非イオン性界面活性剤のような非イオン性界面活性剤も好ましい。
【０１１９】
例えば、四級アンモニウム界面活性剤、柔軟化剤、及びコリンエステル界面活性剤などの陽イオン性界面活性剤及び柔軟化剤も、本明細書の発泡体成分の活性成分として含まれていてもよい。
【０１２０】
香料又は香料組成物は、発泡体成分の（ある一つの）活性成分として極めて好ましい。
【０１２１】
別の活性成分は、過酸化水素及び／又は過水和物漂白剤、例えば、過ホウ酸の塩、過炭酸の塩、特にナトリウム塩である。好ましい活性成分はまた、有機過オキシ酸漂白前駆体又は活性化剤化合物であり、アルキレン基は１〜６個の炭素原子を含有するＮ−，Ｎ，Ｎ１Ｎ１テトラアセチル化アルキレンジアミンを含むイミド型アルキル過カルボン酸前駆体化合物、特にテトラアセチルエチレンジアミン（ＴＡＥＤ）、３，５，５−トリメチルヘキサノイルオキシベンゼンスルホン酸ナトリウム（イソ−ＮＯＢＳ）、ノナノイルオキシベンゼンスルホン酸ナトリウム（ＮＯＢＳ）、アセトキシベンゼンスルホン酸ナトリウム（ＡＢＳ）及びペンタアセチルグルコースのようなアルキレン基が１、２、及び６個の炭素原子を含有する化合物だけでなく、アミド置換アルキル過オキシ酸前駆体化合物も好ましい。
【０１２２】
本明細書の発泡体成分に使用するのに極めて好ましい活性成分は、一つ以上の酵素である。好ましい酵素としては、洗剤組成物に従来から導入される市販のリパーゼ、クチナーゼ、アミラーゼ、中性及びアルカリ性プロテアーゼ、セルラーゼ、エンドラーゼ、エステラーゼ、ぺクチナーゼ、ラクターゼ及びぺルオキシダーゼが挙げられる。好適な酵素は米国特許３，５１９，５７０号及び３，５３３，１３９号に記載されている。市販の好ましいプロテアーゼ酵素には、ノボインダストリーズＡ／Ｓ（Ｎｏｖｏ Ｉｎｄｕｓｔｒｉｅｓ Ａ／Ｓ）（デンマーク）より商品名アルカラーゼ（Ａｌｃａｌａｓｅ）、サビナーゼ（Ｓａｖｉｎａｓｅ）、プライマーゼ（Ｐｒｉｍａｓｅ）、デュラツィム（Ｄｕｒａｚｙｍ）、及びエスペラーゼ（Ｅｓｐｅｒａｓｅ）として販売されるもの、ギストブロカデス（Ｇｉｓｔ−Ｂｒｏｃａｄｅｓ）より商品名マキサターゼ（Ｍａｘａｔａｓｅ）、マキサカル（Ｍａｘａｃａｌ）、及びマキサペム（Ｍａｘａｐｅｍ）として販売されるもの、ジェネンカ・インターナショナル（Ｇｅｎｅｎｃｏｒ Ｉｎｔｅｒｎａｔｉｏｎａｌ）より販売されるもの、及びソルベー・エンザイム（Ｓｏｌｖａｙ Ｅｎｚｙｍｅｓ）より商品名オプティクリーン（Ｏｐｔｉｃｌｅａｎ）及びオプティマーゼ（Ｏｐｔｉｍａｓｅ）として販売されるものが含まれる。好ましいアミラーゼ類には、例えば、バチルス・リケニフォルミス（Ｂ．ｌｉｃｈｅｎｉｆｏｒｍｉｓ）の特殊な株から得られるα−アミラーゼが含まれ、英国特許第１，２６９，８３９号（ノボ（Ｎｏｖｏ））にその詳細が記載されている。市販の好ましいアミラーゼとしては、例えば、ギスト−ブロケーズ（Ｇｉｓｔ−Ｂｒｏｃａｄｅｓ）より商品名ラピダーゼとして販売されるもの、及びノヴォ・インダストリーズ（Ｎｏｖｏ Ｉｎｄｕｓｔｒｉｅｓ）Ａ／Ｓより商品名ターマミル（Ｔｅｒｍａｍｙｌ）、ドゥラミル（Ｄｕｒａｍｙｌ）、及びバン（ＢＡＮ）として販売されるものが挙げられる。きわめて好ましいアミラーゼ酵素はおそらく、ＰＣＴ／ＵＳ９７／０３６３５、及び国際公開第９５／２６３９７号及び国際公開第９６／２３８７３号に記載されている酵素である。リパーゼは、例えば、ヒューミコラ（Ｈｕｍｉｃｏｌａ）株、サーモミセス（Ｔｈｅｒｍｏｍｙｃｅｓ）株、又はシュードモナスシュードアルカリジェネス又は蛍光菌を含むシュードモナス株のリパーゼ生成株から得られる本来真菌又は細菌性であってよい。これらの株の化学的又は遺伝子的に修飾された変異体由来のリパーゼも、本明細書において有用である。好ましいリパーゼは、シュードモナスシュードアルカリジェネスから誘導されたもので、欧州登録特許ＥＰ−Ｂ−０２１８２７２号に記載されている。
【０１２３】
本明細書において好適な他のリパーゼは、欧州公開特許第０２５８０６８号に述べられるように、ヒューミコラ（Ｈｕｍｉｃｏｌａ）ラヌギノーサ（ｌａｎｕｇｉｎｏｓａ）からの遺伝子のクローニング、及び宿主としてのアスペルギルス（Ａｓｐｅｒｇｉｌｌｕｓ）オリザ（ｏｒｙｚａ）における遺伝子の発現によって得られ、ノボ・インダストリーズ（Ｎｏｖｏ Ｉｎｄｕｓｔｒｉｅｓ）Ａ／Ｓ（デンマーク、バグスバード）より商品名リポラーゼとして市販されている。このリパーゼはまた、米国特許第４，８１０，４１４号（ヒュージ−ジェンセン（Ｈｕｇｅ−Ｊｅｎｓｅｎ）ら、１９８９年３月７日発行）に記載されている。
【０１２４】
パーソナルケア発泡体成分において、活性物質は、陽イオン性界面活性剤などの陽イオン性有機化合物、皮膚炎を減少できる成分又は皮膚の治療に役立つ化合物、金属含有化合物、特に亜鉛含有化合物、ビタミン類及びコルチゾンを含み、また皮膚を柔らかくする化合物、例えば、ワセリン、ラノリン、並びに薬品及び化粧品に通常使用されるその他の活性物質を含むのが極めて好ましい。
【０１２５】
パーソナル洗浄性組成物において、活性物質は少なくとも界面活性剤、好ましくは少なくとも陰イオン性界面活性剤、好ましくは少なくとも石鹸、及び香料又は香料組成物を含んでなるのが好ましい。
【０１２６】
例えば、市販の洗浄性製品、薬品、パーソナルケア製品、化粧品及び布地保護製品などの完成した製品組成物が、好ましい活性成分として含まれていてもよい。
【０１２７】
発泡体成分の形態
任意の従来の方法によっても発泡体成分を任意の形態にすることができる。発泡体成分は発泡体形材の層を有する物体の形態であり、例えば、球、ボール、立方体のような幾何学的な形状、又は子供製品の場合には文字若しくは動物の形状などのユーザーが所望する任意の形態であるのが好ましい。
【０１２８】
シートの層状形態である発泡体成分は、いかなる寸法も有することができ、その後必要に応じてサイズを小さくすることができる。シートは、０．０１ミクロン〜１０センチメートル、さらに好ましくは０．０５ミクロン〜１センチメートル、さらに一層好ましくは０．１ミクロン〜０．５センチメートルの平均の厚さを有することが好ましい。シートは０．１〜３ｍｍ、さらには０．３〜２ｍｍであり、発泡体成分は少なくとも３つ、さらには少なくとも４つ、さらには少なくとも５つ、さらには少なくとも６つのこのようなシートを有するのが好ましい。
【０１２９】
発泡体成分はまた吸収性物品であってもよく、又は女性用保護物品かおむつなどの吸収性物品、若しくは水（例えば、体液）と接触する場合、おむつ、拭き取り用品、生理用品、ばんそうこう、包帯などの吸収性物品が適用される皮膚に活性物質を放出するために皮膚を被覆する物品に含まれていてもよい。
【０１３０】
加工例
ケンウッドシェフフードミキサー（Ｋｅｎｗｏｏｄ Ｃｈｅｆ ｆｏｏｄ ｍｉｘｅｒ）において、８０グラムのポリビニルアルコール（シグマアルドリッチ（Ｓｉｇｍａ−Ａｌｄｒｉｃｈ）Ｐ８１３６）、４０グラムのグリセリン（シグマアルドリッチ、１３４８７−２）、２５グラムのクエン酸（シグマアルドリッチ、Ｃ８，３１５−５）、及び２５０グラムのオリジナルソースレモンシャワージェル（市販品）を、最大速度で５分間混合し、発泡体構造を有する高密度の堅い混合物を得る。
【０１３１】
これを金属トレイに広げ、約１ｍｍの厚みの薄い層を形成させ、それを５５℃で１０分間強制通風オーブンに置く。乾燥した発泡体形材（シート）をオーブンから取り出し、金属トレイから剥がす。
【０１３２】
スプレーペイント缶を用いて、細かい水の霧を一方の発泡体シートの片面に噴霧し、他方のシートをそこに押し付ける。約１０秒間シート全体の領域にしっかりと均一に圧力をかけ、二つのシートを結合させる。この工程を数回繰り返し、約１０ｍｍの奥行で、約０．２５ｇ／ｃｍ３の密度を有する８つのシートの積層発泡体成分を製造する。積層発泡体成分は容易に切断でき、層が分離することなく成形でき、発泡体成分は水中で良好に溶解する。
【０１３３】
この実験を以下の（２５０グラムのシャワージェルに代えて）繰り返す：
−２５０グラムの酵素（プロテアーゼ、リパーゼ、アミラーゼ、セルラーゼ、又はこれらの混合物）；
−３０重量％のＬＡＳ（直鎖アルキルベンゼンスルホネートナトリウム塩）、２０重量％の香料油、２０重量％の石鹸、１０重量％の漂白剤、２０重量％の陽イオン性界面活性剤の混合物２５０グラム；
−８０重量％のベタイン界面活性剤、両性界面活性剤、陽イオン性界面活性剤、陰イオン性界面活性剤、及び／又は非イオン性界面活性剤（これら一つ以上の界面活性剤の７０重量％活性ペースト）及び２０重量％香料油の混合物２５０グラム；
−陽イオン性布地柔軟化剤又は陽イオン性ヘアコンディショナーの７０％活性ペースト２５０グラム；
−４０重量％の過炭酸ナトリウム、３０重量％の活性化剤、３０重量％の界面活性剤の混合物２５０グラム。
【国際公開パンフレット】
2004509198.tif 000006
2004509198.tif 000007
2004509198.tif 000008
2004509198.tif 000009
2004509198.tif 000010
2004509198.tif 000011
2004509198.tif 000012
2004509198.tif 000013
2004509198.tif 000014
2004509198.tif 000015
2004509198.tif 000016
2004509198.tif 000017
2004509198.tif 000018
2004509198.tif 000019
2004509198.tif 000020
2004509198.tif 000021
2004509198.tif 000022
2004509198.tif 000023
2004509198.tif 000024
2004509198.tif 000025
2004509198.tif 000026
2004509198.tif 000027
2004509198.tif 000028
2004509198.tif 000029
2004509198.tif 000030
2004509198.tif 000031
2004509198.tif 000032
2004509198.tif 000033
2004509198.tif 000034
2004509198.tif 000035
【国際公開パンフレット（コレクトバージョン）】
2004509198.tif 000036
2004509198.tif 000037
2004509198.tif 000038
2004509198.tif 000039
2004509198.tif 000040
2004509198.tif 000041
2004509198.tif 000042
2004509198.tif 000043
2004509198.tif 000044
2004509198.tif 000045
2004509198.tif 000046
2004509198.tif 000047
2004509198.tif 000048
2004509198.tif 000049
2004509198.tif 000050
2004509198.tif 000051
2004509198.tif 000052
2004509198.tif 000053
2004509198.tif 000054
2004509198.tif 000055
2004509198.tif 000056
2004509198.tif 000057
2004509198.tif 000058
2004509198.tif 000059
2004509198.tif 000060
2004509198.tif 000061
2004509198.tif 000062
2004509198.tif 000063
2004509198.tif 000064
2004509198.tif 000065
【国際調査報告】
2004509198.tif 000066
2004509198.tif 000067
2004509198.tif 000068